(57)【要約】【課題】使用者の就寝時の睡眠が妨げられないように動作する就寝時の動作モードを設けると共に使用者が該動作モードを就寝前に簡単に設定できるようにすること。【解決手段】アンテナ１を介して無線通信を行う無線部２と、液晶＆タッチパネル５と、使用者の状態を撮影して撮像データを得る正面カメラ１０と、装置全体を制御すると共に睡眠時の動作モードを設定する制御部３とを備え、制御部３は、本装置の動作モードとして睡眠時の動作モードが設定されている場合に、液晶＆タッチパネル５の輝度を低輝度に設定する手段と、使用者が睡眠状態に入ったか否かを、正面カメラの映像を介して判定する睡眠判定手段と、使用者が睡眠状態に入ったことを、睡眠判定手段の判定結果を介して判断した時は、本装置の着信音をサイレントに設定すると共に本装置の着信ＬＥＤを無灯に設定する。【選択図】図１
2014175839.tif 000002
【特許請求の範囲】
【請求項１】
アンテナを介して無線通信を行う無線部と、
タッチパネル機能付きのディスプレイと、
使用者の状態を撮影して撮像データを得る正面カメラと、
装置全体を制御すると共に本装置の睡眠時の動作モードを設定する制御部と
を備え、
前記制御部は、前記睡眠時の動作モードが設定されている場合の手段として、
前記ディスプレイの輝度を低輝度に設定する手段と、
前記使用者が睡眠状態に入ったか否かを、前記正面カメラの映像を介して判定する睡眠判定手段と、
前記使用者が睡眠状態に入ったことを、前記睡眠判定手段の判定結果を介して判断した時は、本装置の着信音をサイレントに設定すると共に本装置の着信ＬＥＤを無灯に設定する手段と
を有する携帯電話装置。
【請求項２】
睡眠判定手段は、前記正面カメラの撮像データに基づいて前記使用者の眼球を認識すると共に、前記使用者が瞼を閉じている時間が所定の時間以上となる場合に、当該使用者が睡眠していると判定する
請求項１に記載の携帯電話装置。
【請求項３】
前記制御部は、予め設定された正面カメラを定期的に監視するタイミングを示した第１のパラメータを参照し、前記睡眠判定手段は、予め設定された前記使用者の睡眠状態を判定するための第２のパラメータを参照する
請求項１又は２に記載の携帯電話装置。
【請求項４】
前記第１のパラメータは、正面カメラの監視を実行する期間の定期的な周期を示すものである
請求項３に記載の携帯電話装置。
【請求項５】
前記第２のパラメータは、前記使用者が瞼を閉じている時間長を、当該使用者が睡眠していると判定するための閾値として示すものである
請求項３に記載の携帯電話装置。
【請求項６】
アンテナを介して無線通信を行う無線部と、
タッチパネル機能付きのディスプレイと、
装置全体を制御すると共に本装置の睡眠時の動作モードを設定する制御部と
を備え、
前記制御部は、前記睡眠時の本装置の睡眠時の動作モードが設定されている場合の手段として、
前記ディスプレイの輝度を低輝度に設定する手段と、
前記使用者が睡眠状態に入ったか否かを、前記タッチパネル機能付きのディスプレイに対する操作間隔を介して判定する睡眠判定手段と、
前記使用者が睡眠状態に入ったことを、前記睡眠判定手段の判定結果を介して判断した時は、本装置の着信音をサイレントに設定すると共に本装置の着信ＬＥＤを無灯に設定する手段と
を有する携帯電話装置。
【請求項７】
アンテナを介して無線通信を行う無線部と、タッチパネル機能付きのディスプレイと、前記使用者の状態を撮影して撮像データを得る正面カメラと、装置全体を制御すると共に睡眠時の動作モードを設定する制御部と、を備えた携帯電話装置に適用され、
前記制御部は、前記睡眠時の動作モードが設定されている場合の段階として、
前記ディスプレイの輝度を低輝度に設定する段階と、
前記使用者が睡眠状態に入ったか否かを、前記正面カメラの映像を介して判定する睡眠判定段階と、
前記使用者が睡眠状態に入ったことを、前記睡眠判定段階の判定結果を介して判断した時は、本装置の着信音をサイレントに設定すると共に本装置の着信ＬＥＤを無灯に設定する段階と
を有する携帯電話装置の制御方法。
【請求項８】
アンテナを介して無線通信を行う無線部と、タッチパネル機能付きのディスプレイと、前記使用者の状態を撮影して撮像データを得る正面カメラと、装置全体を制御すると共に睡眠時の動作モードを設定する制御部と、を備えた携帯電話装置に適用され、
前記制御部は、前記睡眠時の動作モードが設定されている場合の段階として、
前記ディスプレイの輝度を低輝度に設定する段階と、
前記使用者が睡眠状態に入ったか否かを、前記タッチパネル機能付きのディスプレイに対する操作間隔を介して判定する睡眠判定段階と、
前記使用者が睡眠状態に入ったことを、前記睡眠判定段階の判定結果を介して判断した時は、本装置の着信音をサイレントに設定すると共に本装置の着信ＬＥＤを無灯に設定する段階と、
を有する携帯電話装置の制御方法。
【請求項９】
アンテナを介して無線通信を行う無線部と、タッチパネル機能付きのディスプレイと、前記使用者の状態を撮影して撮像データを得る正面カメラと、装置全体を制御すると共に睡眠時の動作モードを設定する制御部と、を備えた携帯電話装置をコンピュータ制御させるためのコンピュータプログラムであって、
前記制御部は、前記睡眠時の動作モードが設定されている場合の処理ステップとして、
前記ディスプレイの輝度を低輝度に設定するステップと、
前記使用者が睡眠状態に入ったか否かを、前記正面カメラの映像を介して判定する睡眠判定ステップと、
前記使用者が睡眠状態に入ったことを、前記睡眠判定ステップの判定結果を介して判断した時は、本装置の着信音をサイレントに設定すると共に本装置の着信ＬＥＤを無灯に設定するステップと
を有するコンピュータプログラム。
【請求項１０】
アンテナを介して無線通信を行う無線部と、タッチパネル機能付きのディスプレイと、前記使用者の状態を撮影して撮像データを得る正面カメラと、装置全体を制御すると共に睡眠時の動作モードを設定する制御部と、を備えた携帯電話装置をコンピュータ制御させるためのコンピュータプログラムであって、
前記制御部は、前記睡眠時の動作モードが設定されている場合の処理ステップとして、
前記ディスプレイの輝度を低輝度に設定するステップと、
前記使用者が睡眠状態に入ったか否かを、前記タッチパネル機能付きのディスプレイに対する操作間隔を介して判定する睡眠判定ステップと、
前記使用者が睡眠状態に入ったことを、前記睡眠判定ステップの判定結果を介して判断した時は、本装置の着信音をサイレントに設定すると共に本装置の着信ＬＥＤを無灯に設定するステップと
を有するコンピュータプログラム。
【発明の詳細な説明】
【技術分野】
【０００１】
本発明は携帯電話装置、携帯電話装置の制御方法、及びコンピュータプログラムに関する。
【背景技術】
【０００２】
近年、携帯電話装置に関する問題点として、使用者の就寝前の携帯電話操作による睡眠障害が問題視されている。この場合の睡眠障害は、使用者が、寝室などの暗い環境下で携帯電話装置を操作した際に、ディスプレイより受ける眩しい光が要因で使用者の脳が覚醒されるからではないかと考えられている。また、携帯電話装置には、着信を受けた場合に、着信ＬＥＤの点滅や着信音によって使用者に通知する機能が備えられており、これらの機能も使用者の睡眠を妨げる要因となり得る。よって、本発明に際しては、このような問題点の解決が課題となっていた。
【０００３】
このような背景に関連する技術としては、様々なものが知られている（例えば、特許文献１〜５参照。）。
【０００４】
例えば、特許文献１には、夜間、電話機の呼出し音による睡眠妨害を防止できるようにすることを意図した技術が記載されている。具体的には、電話加入者が、電話機本体のスケジュールキーを押した後、ダイヤルボタンによって開始時刻及び終了時刻を入力する。これで、上記時刻間は電話機と電話回線は接続されず、呼出し音は鳴動しない。
【０００５】
また、例えば、特許文献２には、留守時若しくは就寝時において呼出音の鳴動および映像の出画表示を遮断し、消費される無駄な電力を抑え、省電力化を図り、深夜呼出時の静粛性、及び不審者からの呼出しに応答する際の防犯性を向上させることが記載されている。このシステムでは、玄関に設置されるカメラ付玄関子機の呼出スイッチの操作で室内に設置される室内親機の呼出検出部で呼出検出して呼出音出力部からの呼出音により親機通話部で呼出す。そして、カメラ付玄関子機のカメラ部からの映像を、室内親機の閉成された映像切替部を介して映像表示部でモニタしながらカメラ付玄関子機の子機通話部と室内親機の閉成された通話切替部を介して親機通話部で通話する。室内親機は、留守時若しくは就寝時に操作される留守・就寝モード切替スイッチと、留守・就寝モード切替スイッチが操作されたとき映像切替部及び通話切替部を開成状態に維持して室内親機での映像及び呼出音を遮断する留守・就寝検出部とを備える。
【０００６】
また、例えば、特許文献３には、電話機の状態が一定時間以上待機状態であったときに留守番応答モードに設定することが記載されている。具体的には、電話機状態検出部はボタン電話機のボタン操作が一定時間ないことを検出しシステム制御部に通知する。システム制御部は、ボタン操作が一定時間ないことを検出されたボタン電話機に対して留守番応答モードを設定する。この後、発着信接続制御部が上記ボタン電話機に対応する電話回線からの着呼を検出すると、システム制御部は時分割スイッチを制御して発着信接続制御部と音声録音・再生部との間の音声信号の伝送路を接続させる。この接続により、音声録音・再生部を制御して、留守番応答として予め録音してある音声案内のための音声メッセージを再生し、電話回線に送出する。また、音声案内のための音声メッセージの内容に応じて発呼者の音声メッセージを録音する。
【０００７】
また、例えば、特許文献４には、居眠り検知のためのセンサを身に着けることなく、また、カメラ等の目立つ装置を設けることなく、周囲の人に気付かれずに居眠りを検知することが記載されている。具体的には、情報処理装置は、操作状況検出部と、操作指令部と、居眠り判断部とを備える。操作状況検出部は、所定の操作状況を検出する。操作指令部は、所定の操作を促す指令を出力する。居眠り判断部は、操作状況検出部により検出された操作状況が所定の状況であることを検知し、かつ、前記指令を出力した後に所定のタイミングを過ぎても前記所定の操作が行われないことを検知した場合に、居眠り検知信号を出力する。
【０００８】
また、例えば、特許文献５には、視聴者を穏やかに熟睡状態に導入することができる映像表示装置が記載されている。開示されている手段は、おやすみタイマといった一定時間に音量を低下させたり画面を暗くしたりする手段ではない。さもなくて、視聴者が睡眠状態に入ったかどうかという就寝の実体にあわせて音量や明るさと言った映像表示装置の出力を段階的に低下させることで，視聴者を穏やかに熟睡状態に導入する。具体的には、当該映像表示装置周辺の室内の画像を撮像するデジタルカメラの撮像画像中における人間の目の画像を抽出し，該目が当該映像表示装置のモニタを見ているか否かを判断する。また、この判断結果に応じて背面照明及び音声出力を制御する。若しくは、上記判断結果に応じて当該映像表示装置の電源のいずれかあるいは複数を制御する。
【先行技術文献】
【特許文献】
【０００９】
【特許文献１】特開平０５−２１９１９０号公報
【特許文献２】特開２００１−１９７２１２号公報
【特許文献３】特許第３５９７１２６号公報
【特許文献４】特開２０１０−２５０５７７号公報
【特許文献５】特開２０１１−０８７２７６号公報
【発明の概要】
【発明が解決しようとする課題】
【００１０】
ところで、携帯電話装置は、上述のとおり、使用者が就寝前に携帯電話操作を行うと、該使用者の睡眠が妨げられる場合が有る。また、携帯電話装置には、上述のとおり、着信を受けた場合に、着信ＬＥＤの点滅や着信音によって使用者に通知する機能が備えられているが、使用者がこれらの機能を使用する際にも該使用者の睡眠が妨げられるといった問題点が生じている。
【００１１】
上記の睡眠障害の発生は、使用者の脳が覚醒されることに起因するものと考えられている。即ち、上記着信ＬＥＤの点滅や着信音や、使用者が寝室などの暗い環境下で携帯電話装置を操作する際のディスプレイより受ける眩しい光が、使用者の脳を覚醒させる原因と考えられている。しかしながら、上述の特許文献１〜５に開示の技術は、いずれも、使用者の睡眠が妨げられるといった問題点を容易に解決するものではない。
【００１２】
上述のとおり、これらの問題点の対策としては、使用者が、就寝前に、ディスプレイを低輝度に設定することや、着信ＬＥＤを無点灯にすることや、着信音をサイレント設定に変更する手段などが実施されている。このような手段を実行することは、上述の問題点の対策として効果は有るが、上述のとおり、使用者が、就寝前に、ディスプレイを低輝度に設定し、かつ着信ＬＥＤを無点灯にする必要が有る。さらに、起床後に、上記の各設定を、使用者が元の設定に戻す手間が必要となるので取扱いが不便になる。
【００１３】
本発明の目的は、上述した課題を解決する携帯電話装置、携帯電話装置の制御方法、及びコンピュータプログラムを提供することにある。
【課題を解決するための手段】
【００１４】
上記課題を解決するために、本発明の第１の形態によると、携帯電話装置であって、アンテナを介して無線通信を行う無線部と、タッチパネル機能付きのディスプレイと、使用者の状態を撮影して撮像データを得る正面カメラと、装置全体を制御すると共に本装置の睡眠時の動作モードを設定する制御部とを備え、制御部は、睡眠時の動作モードが設定されている場合の手段として、ディスプレイの輝度を低輝度に設定する手段と、使用者が睡眠状態に入ったか否かを、正面カメラの映像を介して判定する睡眠判定手段と、使用者が睡眠状態に入ったことを、睡眠判定手段の判定結果を介して判断した時は、本装置の着信音をサイレントに設定すると共に本装置の着信ＬＥＤを無灯に設定する手段とを有する。
【００１５】
本発明の第２の形態によると、携帯電話装置であって、アンテナを介して無線通信を行う無線部と、タッチパネル機能付きのディスプレイと、装置全体を制御すると共に本装置の睡眠時の動作モードを設定する制御部とを備え、制御部は、睡眠時の動作モードが設定されている場合の手段として、ディスプレイの輝度を低輝度に設定する手段と、使用者が睡眠状態に入ったか否かを、タッチパネル機能付きのディスプレイに対する操作間隔を介して判定する睡眠判定手段と、使用者が睡眠状態に入ったことを、睡眠判定手段の判定結果を介して判断した時は、本装置の着信音をサイレントに設定すると共に本装置の着信ＬＥＤを無灯に設定する手段とを有する。
【００１６】
本発明の第３の形態によると、携帯電話装置の制御方法であって、アンテナを介して無線通信を行う無線部と、タッチパネル機能付きのディスプレイと、使用者の状態を撮影して撮像データを得る正面カメラと、装置全体を制御すると共に睡眠時の動作モードを設定する制御部と、を備えた携帯電話装置に適用され、制御部は、睡眠時の動作モードが設定されている場合の段階として、ディスプレイの輝度を低輝度に設定する段階と、使用者が睡眠状態に入ったか否かを、正面カメラの映像を介して判定する睡眠判定段階と、使用者が睡眠状態に入ったことを、睡眠判定段階の判定結果を介して判断した時は、本装置の着信音をサイレントに設定すると共に本装置の着信ＬＥＤを無灯に設定する段階とを有する。
【００１７】
本発明の第４の形態によると、携帯電話装置の制御方法であって、アンテナを介して無線通信を行う無線部と、タッチパネル機能付きのディスプレイと、使用者の状態を撮影して撮像データを得る正面カメラと、装置全体を制御すると共に睡眠時の動作モードを設定する制御部と、を備えた携帯電話装置に適用され、制御部は、睡眠時の動作モードが設定されている場合の段階として、ディスプレイの輝度を低輝度に設定する段階と、使用者が睡眠状態に入ったか否かを、タッチパネル機能付きのディスプレイに対する操作間隔を介して判定する睡眠判定段階と、使用者が睡眠状態に入ったことを、睡眠判定段階の判定結果を介して判断した時は、本装置の着信音をサイレントに設定すると共に本装置の着信ＬＥＤを無灯に設定する段階とを有する。
【００１８】
本発明の第５の形態によると、アンテナを介して無線通信を行う無線部と、タッチパネル機能付きのディスプレイと、使用者の状態を撮影して撮像データを得る正面カメラと、装置全体を制御すると共に睡眠時の動作モードを設定する制御部と、を備えた携帯電話装置をコンピュータ制御させるためのコンピュータプログラムであって、制御部は、睡眠時の動作モードが設定されている場合の処理ステップとして、ディスプレイの輝度を低輝度に設定するステップと、使用者が睡眠状態に入ったか否かを、正面カメラの映像を介して判定する睡眠判定ステップと、使用者が睡眠状態に入ったことを、睡眠判定ステップの判定結果を介して判断した時は、本装置の着信音をサイレントに設定すると共に本装置の着信ＬＥＤを無灯に設定するステップとを有する。
【００１９】
本発明の第６の形態によると、アンテナを介して無線通信を行う無線部と、タッチパネル機能付きのディスプレイと、使用者の状態を撮影して撮像データを得る正面カメラと、装置全体を制御すると共に睡眠時の動作モードを設定する制御部と、を備えた携帯電話装置をコンピュータ制御させるためのコンピュータプログラムであって、制御部は、睡眠時の動作モードが設定されている場合の処理ステップとして、ディスプレイの輝度を低輝度に設定するステップと、使用者が睡眠状態に入ったか否かを、タッチパネル機能付きのディスプレイに対する操作間隔を介して判定する睡眠判定ステップと、使用者が睡眠状態に入ったことを、睡眠判定ステップの判定結果を介して判断した時は、本装置の着信音をサイレントに設定すると共に本装置の着信ＬＥＤを無灯に設定するステップとを有する。
【００２０】
なお、上記の発明の概要は、本発明の特徴の全てを列挙したものではない。また、これらの特徴群のサブコンビネーションもまた、発明となり得る。
【発明の効果】
【００２１】
以上の説明から明らかなように、この発明によっては、使用者が、就寝時の自己の睡眠が妨げられないように動作する本装置の就寝時の動作モードを、就寝前に、簡単に設定することができる。
【００２２】
また、この発明によっては、使用者の睡眠障害や睡眠阻害と成り得る要因を取り除くことができる。
【図面の簡単な説明】
【００２３】
【図１】本発明の実施形態に係る携帯電話装置１００の全体構成を示す構成図である。
【図２】本発明の実施形態に係る携帯電話装置１００の一使用形態のイメージを示す説明図である。
【図３】本発明の実施形態に係る携帯電話装置１００の正面カメラ１−１０で撮影される使用者の瞼の状態を示す説明図である。
【図４】本発明の実施形態に係る携帯電話装置１００の制御部１−３が参照する各種パラメータを示す説明図である。
【図５】本発明の実施形態に係る携帯電話装置１００のディスプレイの輝度別の表示画面の違いを示す説明図である。
【図６】本発明の実施形態に係る携帯電話装置１００の動作を示すフローチャート図である。
【図７】本発明の他の実施形態に係る携帯電話装置１００の一動作例を示すフローチャート図である。
【図８】本発明の他の実施形態に係る携帯電話装置１００の他の一動作例を示すフローチャート図である。
【発明を実施するための形態】
【００２４】
以下、発明の実施の形態を通じて本発明を説明する。
【００２５】
図１は、本発明の実施形態に係る携帯電話装置１００の全体構成を示す構成図である。本発明の携帯電話装置１００は、正面カメラで撮影された映像を基に使用者の瞼が閉じている時間を計測することで、使用者が睡眠状態であるか否かを判断し、該携帯電話装置１００の着信ＬＥＤ・ディスプレイ輝度の明るさや鳴動条件を変更する機能を有することを特徴とする。このため、本発明の携帯電話装置１００は、正面カメラと画像認識処理とを用いて使用者の瞼が閉じている時間を計測し、この計測時間を基にして使用者が睡眠状態か否かを定期的に監視する。そして、使用者が睡眠状態に入ったと判断した場合は、この睡眠状態を阻害しないように、該携帯電話装置１００の着信音／着信ＬＥＤをサイレント／無灯に設定する。これにより、使用者の睡眠障害をもたらす要因を事前に排除することができる。
【００２６】
同図において、本実施形態の携帯電話装置１００は、アンテナ１、無線部２、制御部３、加速度センサ４、液晶＆タッチパネル５（タッチパネル機能付きのディスプレイ）、照度センサ６、マイク７、及びスピーカー８、を備える。さらに、本実施形態の携帯電話装置１００は、音声コーデック部９、正面カメラ１０、及びメモリ１１、を備える。
【００２７】
本実施形態の携帯電話装置１００は、制御部３の制御に基づき、無線部２、及びアンテナ１を介して基地局と通信を行なう。以下、本実施形態の携帯電話装置１００の各構成要素の機能を説明する。無線部２は、アンテナ１を介して無線信号を受信し、該無線信号に対して信号周波数を選択することで周波数変換を行い、この周波数変換された信号を増幅し、復調して受信データを得る。更に無線部２は、該受信データを制御部３に出力する。
【００２８】
制御部３は、上記出力された受信データを処理して音声信号を音声コーデック部９に出力する。音声コーデック部９は、音声信号をアナログ信号に変換し、スピーカー８は音声を出力する。なお、マイク７により入力された音声は、音声コーデック部９においてＡ／Ｄ変換されてＰＣＭ信号となるが、制御部３は、該ＰＣＭ信号を送信データに処理し、無線部２に送出する。また、制御部３は、照度センサ６にて検出された周囲の明るさに応じて液晶＆タッチパネル５の明るさを自動制御する。さらに、制御部３は、正面カメラ１０にて撮影された映像に画像認識処理を施したデータに基づいて使用者の眼球位置を認識する。制御部３は、この使用者の眼球位置を認識したならば、使用者が瞼を閉じている時間を計測し、この計測時間に基づいて使用者が睡眠状態に入ったか否かを判断する。
【００２９】
無線部２は、基地局と無線通信を行なう。具体的には、無線部２は、制御部３から送出された送信データを変調し、更に該変調された送信データを、規定されている周波数の信号を搬送波として増幅し、アンテナ１を介して無線送信する。
【００３０】
液晶＆タッチパネル５は、使用者によるデータや指示が入力されて成る信号を出力することができる。この指示には、各種機能を設定する際の指示も含まれる。メモリ１１は、制御部３が参照する睡眠状態を判定するための閾値や、正面カメラを定期的に監視するタイミング等が設定されて成るパラメータを記憶する。
【００３１】
図２は、本発明の実施形態に係る携帯電話装置１００の一使用形態のイメージを示す説明図である。以下の説明では、制御部３が、使用者の睡眠状態を監視してから、該制御部３が、該使用者の就寝中の着信ＬＥＤ・ディスプレイ輝度の明るさや鳴動条件を変更するまでの一連の処理動作のことを、「オヤスミモード」（睡眠時の動作モード）と表現する。
【００３２】
同図に示すように、使用者は、本実施形態の携帯電話装置１００を寝室で使用する場合には、モード設定を「オヤスミモード」とすることができる。モード設定を、この「オヤスミモード」の設定にすると、使用者は、ディスプレイ（ここでは液晶＆タッチパネル５）の輝度が明る過ぎて、その後の睡眠に影響することを防ぐことができる。また、この「オヤスミモード」の設定にすると、使用者は、睡眠中に着信音によって起こされることを防ぐことができる。
【００３３】
図３は、本発明の実施形態に係る携帯電話装置１００の正面カメラ１０で撮影される使用者の瞼の状態を示す説明図である。図３（ａ）は使用者が起きていて上記ディスプレイを見ている状態を示す。また、図３（ｂ）は使用者が睡眠に入っている状態を示す。
【００３４】
以下、同図を参照し、制御部３が、正面カメラ１０を用いて使用者の眼球の位置を認識する方法について説明する。使用者によって、オヤスミモードがＯＮに設定されると、制御部３は、正面カメラ１０を起動し、かつ画像認識処理を用いて、使用者の眼球位置を認識する。
【００３５】
図３（ａ）は、使用者が起きていて上記ディスプレイを見ている状態を示しているが、この状態の具体的な事例としては、ＷＥＢの閲覧や、ＤＴＶやゲーム等を実施するために、使用者が本携帯電話装置１００を操作し、この間、ディスプレイ（ここでは液晶＆タッチパネル５）を見ている状態である。他方、図３（ｂ）では、使用者が睡眠に入っている状態を示しているが、この状態は、使用者が睡眠状態に入ると、瞼を閉じるので、制御部３が、使用者が瞼を閉じている時間を計測して睡眠状態か否かを判断して決定するものである。
【００３６】
図４は、本発明の実施形態に係る携帯電話装置１００の制御部３が参照する各種パラメータを示す説明図である。制御部３が参照する各種パラメータは、液晶＆タッチパネル５を介して使用者によって入力され、メモリ１１に記憶される。
【００３７】
同図に示すように、使用者の睡眠状態を判断する閾値には、使用者が瞼を閉じている状態が継続している時間（ここでは７秒）を設定する。制御部３は、使用者が瞼を閉じている時間が７秒以上継続していれば使用者が睡眠状態であると判断する。
【００３８】
また、図４に示すように、カメラ監視タイミング（正面カメラ１０の監視タイミング）については、定期監視間隔（ここでは１０分毎）と、１回の監視時間（ここでは３０秒）を設定する。
【００３９】
図５は、本発明の実施形態に係る携帯電話装置１００のディスプレイの輝度別の表示画面の違いを示す説明図である。図５（ａ）は通常時のディスプレイの輝度による表示画面を示す。また、図５（ｂ）は「オヤスミモード」が設定された場合のディスプレイの輝度による表示画面を示す。図５（ａ）に示すように、通常時には、制御部３は、中間輝度を基準とする。さらに、通常時には、制御部３は、図示の「自動調整」のボタンをＯＮにして表示し、視認性向上のため照度センサ６で検出された周囲の明るさから自動調整を行ってディスプレイの輝度を設定する。
【００４０】
一方、図５（ｂ）に示すように、「オヤスミモード」が設定された場合は、制御部３は、低輝度を基準とする。さらに、「オヤスミモード」が設定された場合は、制御部３は、図示の「自動調整」のボタンをＯＦＦにして表示し、周囲の明るさに応じ輝度調整する自動調整機能をＯＦＦにする。
【００４１】
図６は、本発明の実施形態に係る携帯電話装置１００の動作を示すフローチャート図である。以下、図１〜５を参照しながら、図６を使用して本実施形態に係る携帯電話装置１００の動作を説明する。まず、制御部３は、使用者が、液晶＆タッチパネル５を介して、上述のオヤスミモードをＯＮにしたか否かを検証する。その結果、上述のオヤスミモードが使用者によってＯＮに設定されればステップＳ２に進む。また、上述のオヤスミモードが使用者によってＯＮにされていなければ、上述のオヤスミモードが使用者によってＯＮに設定されるまで待機する（ステップＳ１）。
【００４２】
ステップＳ２では、制御部３は、ディスプレイ（ここでは液晶＆タッチパネル５）の輝度を、オヤスミモードがＯＮである時の輝度（即ち、自動調整機能ＯＦＦかつ低輝度、図５（ｂ）参照）に設定する。
【００４３】
引き続き、制御部３は、正面カメラ１０の監視機能をＯＮに設定する（ステップＳ３）。その後、制御部３は、画像認識処理を実行して使用者の眼球位置を認識し、目の動きを定期的に監視する。制御部３は、上記の使用者の眼球位置の監視を３０秒間実行し、この間、使用者が睡眠状態（即ち、使用者の瞼が７秒以上閉じられた）か否かを判定する。その結果、使用者が睡眠状態を示すとステップＳ５に進む。また、ステップＳ３の判定で、使用者が睡眠状態を示していなければ、ステップＳ６にて、正面カメラの監視周期である１０分が経過するまで待ってから制御の流れをステップＳ２に戻す（ステップＳ３）。
【００４４】
ステップＳ５では、使用者が睡眠状態と判断されたので、制御部３は、着信音をサイレントに設定し、着信ＬＥＤも無灯に設定し、正面カメラの定期監視機能はＯＦＦにして処理を終了する。
【００４５】
本発明の携帯電話装置１００によれば、使用者は、就寝時の自己の睡眠が妨げられないように動作する就寝時の本装置の動作モード（即ち、オヤスミモード）を、自己の就寝前に、簡単に設定することができる。その後は、制御部３が、該使用者の睡眠状態を定期的に監視し、該使用者が睡眠状態に入ったと判断した場合は、制御部３が、着信音の鳴動条件や、ＬＥＤ及びディスプレイの輝度を変更する。これにより、使用者の睡眠障害や睡眠阻害と成り得る要因を取り除くことができる効果が得られる。
【００４６】
上述の実施形態に係る携帯電話装置１００では、制御部３が、正面カメラ１０を介して使用者の目の動きを監視し、使用者が睡眠状態であるか否かを判定していた。しかし、本発明の他の実施形態に係る携帯電話装置１００の動作として、制御部３が、液晶＆タッチパネル５に対する使用者の操作間隔を監視し、その結果によって、使用者が睡眠状態に入ったか否かを判定することができる。
【００４７】
図７は、本発明の他の実施形態に係る携帯電話装置１００の一動作例を示すフローチャート図である。以下、図１〜５を参照しながら、図７を使用して本実施形態に係る携帯電話装置１００の一動作例を説明する。この動作例では、睡眠判定の閾値をタッチパネル操作間隔（＝２０秒以上）とし、液晶＆タッチパネル５に対する使用者の操作間隔が２０秒以上、無操作状態が続いた場合は、着信ＬＥＤを無点灯設定にし、着信音をサイレント設定に変更する。
【００４８】
まず、制御部３は、オヤスミモードがＯＮに設定されているか否かを検証する。オヤスミモードがＯＮに設定されている場合はステップＡ２に進み、オヤスミモードがＯＮに設定されていない場合は、オヤスミモードがＯＮに設定されるまで待機する（ステップＡ１）。ステップＡ２では、制御部３は、ディスプレイ（ここでは液晶＆タッチパネル５）の輝度を、オヤスミモードがＯＮである時の輝度（即ち、自動調整機能ＯＦＦかつ低輝度、図５（ｂ）参照）に設定する。次に、制御部３は、液晶＆タッチパネル５に対する使用者の操作間隔を測定する（ステップＡ３）。
【００４９】
次に、制御部３は、上記測定した液晶＆タッチパネル５に対する使用者の操作間隔に基づいて、使用者が睡眠状態に入ったか否かを検証する。その結果、使用者が睡眠状態に入った場合はステップＡ５に進み、使用者が睡眠状態に入っていない場合はステップＡ２に戻る（ステップＡ４）。ステップＡ５では、制御部３は、使用者の睡眠を妨害しないようなモード設定を行う。つまり、制御部３は、メールの着信音をサイレントに設定し、着信ＬＥＤの点灯を無点灯に設定する。
【００５０】
更に、本発明の他の実施形態として、オヤスミモードの機能解除を本携帯電話装置１００のスケジュールや目覚まし機能と連携させることができる。具体的には、スケジュールや目覚まし機能においてアラーム設定されている時刻以降は、ディスプレイの輝度設定、着信音の音量設定、及び着信ＬＥＤの設定（点灯／非点灯）を、制御部３が、オヤスミモード設定前の設定に戻すように構成することができる。
【００５１】
図８は、本発明の他の実施形態に係る携帯電話装置１００の他の一動作例を示すフローチャート図である。以下、図１〜５を参照しながら、図８を使用して本実施形態に係る携帯電話装置１００の他の一動作例を説明する。まず、制御部３は、オヤスミモードがＯＮに設定されているか否かを検証する。オヤスミモードがＯＮに設定されている場合はステップＢ２に移り、オヤスミモードがＯＮに設定されていない場合は、オヤスミモードがＯＮに設定されるまで待機する（ステップＢ１）。ステップＢ２では、制御部３は、ディスプレイ（ここでは液晶＆タッチパネル５）の輝度を、オヤスミモードがＯＮである時の輝度（即ち、自動調整機能ＯＦＦかつ低輝度、図５（ｂ）参照）に設定する。
【００５２】
次に、制御部３は、正面カメラ１０の監視機能をＯＮに設定する（ステップＢ３）。その後、制御部３は、正面カメラ１０の映像と認識機能とを介して使用者の瞼を３０秒間監視し、使用者が睡眠状態に入ったか否かを判定する。その結果、制御部３は、使用者が睡眠状態に入った場合はステップＢ５に進み、使用者が睡眠状態に入っていない場合は、ステップＢ８にて正面カメラ１０の監視周期である１０分が経過するのを待って、制御の流れをステップＢ５に戻す（ステップＢ４）。ステップＢ５では、制御部３は、使用者の睡眠を妨害しないようなモード設定を行う。つまり、制御部３は、メールの着信音をサイレントに設定し、着信ＬＥＤの点灯を無点灯に設定し、正面カメラ１０の監視機能をＯＦＦに設定し、ステップＢ６に進む。
【００５３】
ステップＢ６では、制御部３は、現在の時刻が、スケジュールや目覚まし機能においてアラーム設定されている時刻に達したか否かを検証する。現在の時刻が、スケジュールや目覚まし機能においてアラーム設定されている時刻に達した場合は、制御部３は、ステップＢ７に進む。また、現在の時刻が、スケジュールや目覚まし機能においてアラーム設定されている時刻に達していない場合は、制御の流れをステップＢ５に戻す。ステップＢ７では、制御部３は、本装置の状態を、オヤスミモードがＯＮに設定された以前の状態に戻す。具体的には、制御部３は、メール着信音の音量を元の音量に戻し、着信を通知するＬＥＤを元の点灯設定に戻し、ディスプレイ（ここでは液晶＆タッチパネル５）の輝度を元の輝度設定に戻す。
【符号の説明】
【００５４】
１  アンテナ
２  無線部
３  制御部
４  加速度センサ
５  液晶＆タッチパネル
６  照度センサ
７  マイク
８  スピーカー
９  音声コーデック部
１０  正面カメラ
１１  メモリ
【図１】
2014175839.tif 000003
【図２】
2014175839.tif 000004
【図３】
2014175839.tif 000005
【図４】
2014175839.tif 000006
【図５】
2014175839.tif 000007
【図６】
2014175839.tif 000008
【図７】
2014175839.tif 000009
【図８】
2014175839.tif 000010